(57)【要約】【課題】筐体背面に配置されたケーブル接続端子を保護するとともに、筐体背面におけるケーブル結線作業の効率化を図る。【解決手段】本発明に係る電子装置は、ケーブル接続端子と、突起部を筐体背面に有し、ケーブル接続端子は、筐体背面を鉛直方向に区切った結線領域内に配置され、突起部は、筐体背面中、結線領域とは異なる領域に配置され、結線領域を照明する照明部を備えることを特徴とする。【選択図】図２
2016143672.tif 000002
【特許請求の範囲】
【請求項１】
ケーブル接続端子と、突起部を筐体背面に有し、
前記ケーブル接続端子は、前記筐体背面を鉛直方向に区切った結線領域内に配置され、
前記突起部は、前記筐体背面中、前記結線領域とは異なる領域に配置され、前記結線領域を照明する照明部を備えることを特徴とする
電子装置。
【請求項２】
前記突起部の高さは、前記ケーブル接続端子の最大高さよりも高いことを特徴とする
請求項１に記載の電子装置。
【請求項３】
前記突起部は、前記筐体背面の上方に位置し、
前記照明部は、前記結線領域を下方に傾斜した角度で照明することを特徴とする
請求項１または請求項２に記載の電子装置。
【請求項４】
前記突起部を複数有することを特徴とする
請求項１から請求項３の何れか１項に記載の電子装置。
【請求項５】
前記突起部は、前記結線領域の両側に配置されていることを特徴とする
請求項４に記載の電子装置。
【請求項６】
前記結線領域内に配置される前記ケーブル接続端子は、電源端子、もしくは、電源供給端子を含まないことを特徴とする
請求項１から請求項５の何れか１項に記載の電子装置。
【発明の詳細な説明】
【技術分野】
【０００１】
本発明は、映像信号や音声信号などの各種信号を入出力する端子を有する電子装置に関し、特に、電子装置の筐体背面での結線作業の容易化を図る技術に関する。
【背景技術】
【０００２】
従来、カラオケ装置、ビデオ録画装置、テレビ受像器などの各種電子装置では、映像信号や音声信号などの各種信号を入出力するためのケーブル差込口として、複数の端子が設けられている。このような端子は、通常抜き差しする必要が無いため、電子装置の筐体背面に設けられることが多い。近年、電子装置は、ネットへの接続、あるいは、他の電子装置との連携などの事情により、接続する端子は増加する傾向にある。
【０００３】
特許文献１には、このように背面パネルに複数のジャック（端子）を備えた電子装置について、複数のジャックを有する複数のコネクタが基板に実装され、背面パネルに形成されたジャック孔によってジャックが拘束される場合に、複数のコネクタが有する端子を変形させる応力を小さくする技術が開示されている。
【先行技術文献】
【特許文献】
【０００４】
【特許文献１】特開２００８−１３９３９５号公報
【発明の概要】
【発明が解決しようとする課題】
【０００５】
ところで、電子装置において、ケーブルを接続するための複数の端子は、美観などの観点から筐体背面に設けられることが多く、端子に対するケーブルなどの接続作業は、狭く暗い環境下で強いられ、筐体背面の視認性は悪いものであった。特に、電子装置の一つであるカラオケ装置では、カラオケボックス、あるいは、スナックなどのナイト店のように、薄暗い照明の下で作業を行う必要があり、筐体背面の視認性はさらに悪いことが考えられる。そのため、カラオケ装置のメンテナンス作業を行う場合、作業者は、端子の位置、種類を確認するため、電子装置に接続済みのケーブルを一旦取り外し、電子装置をラックから取り出して確認し、結線作業を行う必要があった。
【０００６】
本発明は、電子装置における結線作業の効率化を図ることを目的とするものであり、特に、端子を照明することで結線作業の視認性向上を図るものである。
【課題を解決するための手段】
【０００７】
そのため、本発明に係る電子装置は以下の構成を採用するものである。
筐体背面にケーブル接続端子と、突起部を有し、
前記ケーブル接続端子は、前記筐体背面を鉛直方向に区切った結線領域内に配置され、
前記突起部は、前記筐体背面中、前記結線領域とは異なる領域に配置され、前記結線領域を照明する照明部を備えることを特徴とする。
【０００８】
さらに本発明に係る電子装置において、
前記突起部の高さは、前記ケーブル接続端子の最大高さよりも高いことを特徴とする。
【０００９】
さらに本発明に係る電子装置において、
前記突起部は、前記筐体背面の上方に位置し、
前記照明部は、前記結線領域を下方に傾斜した角度で照明することを特徴とする。
【００１０】
さらに本発明に係る電子装置において、前記突起部を複数有することを特徴とする。
【００１１】
さらに本発明に係る電子装置において、
前記突起部は、前記結線領域の両側に配置されていることを特徴とする。
【００１２】
さらに本発明に係る電子装置において、
前記結線領域内に配置される前記ケーブル接続端子は、電源端子、もしくは、電源供給用端子を含まないことを特徴とする。
【発明の効果】
【００１３】
本発明に係る電子装置によれば、突起部に設けた照明部にてケーブル接続端子を照明することで、結線作業時におけるケーブル接続端子の視認性の向上を図り、結線作業の効率化を図ることが可能となる。また、突起部を結線領域とは異なる領域に配置したことで、筐体背面に配置されたケーブル接続端子について上方からの視認性を阻害することがない。
【００１４】
さらに本発明に係る電子装置によれば、突起部の高さをケーブル接続端子の最大高さよりも高く設定することで、突起部がケーブル接続端子を保護する保護部材として機能することが可能となる。具体的には、筐体背面を壁側に押し当てたときに、突起部が先に壁に突き当たることで、ケーブル端子が壁に突き当たり破損することを防ぐことが可能となる。
【００１５】
さらに本発明に係る電子装置によれば、突起部を筐体背面の上方に位置させ、照明部にて下方に傾斜した角度で結線領域を照明することで、上方から視認する作業者の目に照明光が直接入射することを抑制し、良好な視認性を確保することが可能となる。
【００１６】
さらに本発明に係る電子装置によれば、突起部を複数備えたことで、複数箇所から端子領域を照明することが可能となり、視認性の向上を図ることが可能となる。また、突起部によるケーブル接続端子の保護機能もより確実なものとなる。
【００１７】
さらに本発明に係る電子装置によれば、突起部を結線領域の両側に配置したことにより、突起状のケーブル接続端子を両側から照明し、当該ケーブル接続端子が形成する陰影を薄くし、視認性の向上を図ることが可能となる。
【００１８】
さらに本発明に係る電子装置によれば、結線領域内に配置されるケーブル接続端子には、電源端子、もしくは、電源供給端子を含まないこととしている。通常、電子装置に電源を供給するための電源端子、あるいは、他の電子装置に対して電源を供給する電源供給端子は、電子装置の設置当初にケーブルが接続される端子であって、メンテナンス時などにはケーブルの抜き差しを行うことは希である。また、電源端子、電源供給端子が占有する面積は大きく、接続されるケーブルも太いため、電源端子、電源供給端子を他のケーブル接続端子と同じ結線領域内に配置した場合、結線領域の面積が小さくなるとともに、結線領域から延出するケーブルも煩雑となり、結線作業が困難になることが考えられる。このような事情を鑑み、電源端子、もしくは、電源供給端子を結線領域から除外することで、結線作業の効率化を図ることが可能となる。
【図面の簡単な説明】
【００１９】
【図１】カラオケシステムの構成を示す図
【図２】カラオケ装置の背面の様子を示す図
【図３】突起部の構成を示す図
【図４】カラオケ装置の背面における照明を説明するための図
【発明を実施するための形態】
【００２０】
本発明の電子装置についてカラオケ装置２に適用した例について説明する。なお、本発明はここで説明するカラオケ装置２に限られるものではなく、筐体背面にてケーブルなどを結線する各種電子装置に適用することが可能である。
【００２１】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２２】
カラオケボックスなどの店舗に設置されるカラオケ装置２は、楽曲を再生するための再生部としての音響制御部２５を備えている。また、カラオケ装置２は、ユーザからの各種入力を受け付ける操作部２１を備える。カラオケ装置２は、操作部２１からの入力を解釈してＣＰＵ３０に伝達する操作処理部２２を備える。また、カラオケ装置２は、各種情報を記憶する記憶部としてのハードディスク３２を備える。カラオケ装置２は、ＬＡＮ１００に接続してネットワークに加入する通信手段としてのＬＡＮ通信部２４を備えている。
【００２３】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２４】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。このタッチパネルモニタ３３は、カラオケ装置２の操作部２１、あるいは、リモコン装置１のタッチパネルモニタ１１等と同様、入力部として機能する。ユーザは、タッチパネルモニタ３３にて楽曲を選択することで、直接カラオケ装置２に予約をさせるなど、カラオケ装置２に対する各種操作を行うことが可能である。
【００２５】
さらに、カラオケ装置２は、各構成を統括して制御するためのＣＰＵ３０、各種プログラムを実行するにあたって必要となる情報を一時記憶するためのメモリ２７を備えて構成される。これら、ＣＰＵ３０、メモリ２７によって、カラオケ装置２の制御部を構成している。
【００２６】
さらに、本実施形態のカラオケ装置２は、カラオケ装置２の筐体背面を照明するＬＥＤ７２ａ、７２ｂを有している。このＬＥＤ７２ａ、７２ｂは、後述する突起部７ａ、７ｂ内に配置され、背面パネル６１中、ケーブル接続端子が配置された結線領域Ｋを照明する照明部として機能する。ＬＥＤ７２ａ、７２ｂの点灯、消灯に関する制御は、ＬＥＤドライバ３６を介し、ＣＰＵ３０からの指示により実行される。ＬＥＤ７２ａ、７２ｂの点灯、消灯は、ケーブル接続端子の結線作業を行う際、カラオケ装置２の操作部２１、タッチパネルモニタ３３、リモコン装置１など各種入力手段から所定の操作を行うことで実行される。ＬＥＤ７２ａ、７２ｂは、カラオケ装置２の筐体背面に配置されるため、消灯し忘れることが考えられる。そのため、点灯開始から所定の点灯継続時間経過後に自動で消灯する構成としてもよい。点灯継続時間は任意に設定できるように構成することとしてもよい。また、ケーブル接続端子における、ケーブル接続の抜き差しが判定できる場合には、ケーブルの抜き差しに基づいてＬＥＤ７２ａ、７２ｂの点灯、消灯をコントロールしても良い。例えば、ケーブルの抜き差しが行われた場合、ＬＥＤ７２ａ、７２ｂを点灯し、所定点灯継続時間中、ケーブルの抜き差しが無い場合、ＬＥＤ７２ａ、７２ｂを消灯する構成が考えられる。
【００２７】
このような構成にてカラオケ装置２は、各種処理を実行することとなるが、カラオケ装置２の主な機能として、楽曲予約処理、楽曲再生処理などを実行可能としている。楽曲予約処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２８】
楽曲演奏処理は、楽曲情報に含まれる演奏情報に基づき、音響制御部２５に演奏を実行させる処理である。音響制御部２５にて演奏された演奏音は、マイクロホン４４ａ、４４ｂから入力される歌唱音声とミキシングされ、アンプ４７を介してスピーカ４２Ｒ、４２Ｌから放音される。本実施形態のカラオケ装置２は、ギターやキーボードなどの外部楽器４５ａ、４５ｂを接続することが可能であり、外部楽器４５ａ、４５ｂからの外部演奏音をスピーカ４２Ｒ、４２Ｌから放音することも可能である。
【００２９】
歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。本実施形態のカラオケ装置２は、カメラ４６を接続することが可能であり、カラオケ装置２は、カメラ４６からの出力映像を取り込んで録画し、インターネット上への投稿動画作成に使用することが可能である。
【００３０】
一方、リモコン装置１は、歌唱する楽曲を選択する選曲処理を実行可能とし、予約情報などカラオケ装置２に対して各種指示を送信可能としている。また、リモコン装置１は、カラオケ装置２あるいはインターネット上に接続されたホスト装置５から各種情報を受信し、ユーザに対して各種情報を提供することも可能である。本実施形態では、ユーザから各種指示を受け付けるユーザインターフェイスとして、操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３１】
さらにリモコン装置１は、楽曲検索に必要とされるデータベース、各種プログラム、並びに、プログラム実行に伴って発生する各種情報を記憶する記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００３２】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３３】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００３４】
このように本実施形態のカラオケ装置２は、モニタ４１、アンプ４７、マイクロホン４４ａ、４４ｂなど、歌唱を行う基本機能のための外部機器を接続するため、ケーブル接続端子を有している。また、カメラ４６、外部楽器４５ａ、４５ｂといった拡張機能のためのケーブル接続端子も設けられており、これら多くのケーブル接続端子は、美観的な観点などを理由として、通常、カラオケ装置２の筐体背面に配置されている。
【００３５】
図２は、カラオケ装置２の背面の様子を示す図である。図２（Ａ）は、カラオケ装置２の背面について、その正面図を示した図であり、図２（Ｂ）は、カラオケ装置２の背面について、上側から眺めたときの図である。図２（Ａ）、図２（Ｂ）には、Ｘ軸、Ｙ軸、Ｚ軸で、カラオケ装置２の各方向を示す座標系を設定している。
【００３６】
図１で説明したように、カラオケ装置２には、基本機能、拡張機能を実現するため、各種ケーブルを接続するためのケーブル接続端子が設けられている。筐体６の背面には背面パネル６１が設けられており、結線領域Ｋ、突起部７ａ、７ｂ、電源供給端子６３、電源端子６４が配置されている。結線領域Ｋ内には、各種ケーブル接続端子が配置されている。本実施形態では、図１で説明したカメラ４６を接続するためのカメラ接続端子、ＬＡＮ通信部２４においてＬＡＮケーブルを接続するためのＬＡＮ接続端子、モニタ４１などを接続し、外部に映像を出力する映像出力端子（ピンジャック端子、及び、ＨＤＭＩ端子（ＨＤＭＩは登録商標））、アンプ４７などを接続し、外部に音声を出力する音声出力端子（ピンジャック端子）、外部楽器４５ａ、４５ｂからの外部演奏信号を取り込むための外部楽器入力端子（ピンジャック端子）、マイクロホン４４ａ、４４ｂから歌唱音声信号を取り込むためのマイク入力端子（標準ジャック端子）を有する。
【００３７】
また、図１では説明しなかった、ＵＳＢ端子、映像入力端子（ピンジャック端子）、ＢＧＭ入力に用いる音声入力端子（ピンジャック端子）、ライン出力に用いる音声出力端子（ピンジャック端子）を有している。また、背面パネル６１には、ケーブル接続端子を囲う枠が印刷されており、枠に対応してケーブル接続端子の説明書きが印刷されている。ユーザはこの説明書きを視認することで、ケーブル接続端子の種別、機能を確認することができる。また、図２（Ｂ）に示されるように、映像出力端子などを構成するピンジャック端子６６、マイク入力端子を構成する通常ジャック端子は、筐体の背面から突起した状態となっている。
【００３８】
なお、本実施形態では、カラオケ装置２に電源を供給する電源端子６４、他の装置に対して電源を供給する電源供給端子６３は、結線領域Ｋの外に配置している。これら電源端子６４、電源供給端子６３は、電源ケーブルが接続されるケーブル接続端子といえるものであるが、通常、電源端子６４、電源供給端子６３には、カラオケ装置２の設置当初に電源ケーブルが接続される端子であって、メンテナンス時などには電源ケーブルの抜き差しを行うことは希である。また、電源端子６４、電源供給端子６３が占有する面積は大きく、接続される電源ケーブルも太いため、電源端子６４、電源供給端子６３を他のケーブル接続端子と同じ結線領域Ｋ内に配置した場合、結線領域Ｋの面積が小さくなるとともに、結線領域Ｋから延出するケーブルも煩雑となり、結線作業が困難になることが考えられる。このような事情を鑑み、電源端子６４、もしくは、電源供給端子６３を結線領域Ｋから除外することで、結線作業の効率化を図ることとしている。
【００３９】
背面パネル６１には、２つの突起部７ａ、７ｂが設けられている。本実施形態の突起部７ａ、７ｂは、端子保護機能と、結線領域Ｋの照明機能を兼ね備えた部材である。図３には、突起部７（７ａと７ｂの構成は共通であるため、添え字ａ、ｂを取って説明する）の構成を示した図である。図３（Ａ）は、突起部７の斜視図である。ここでは、図に示すようにａ軸、ｂ軸、ｃ軸で、突起部７の各方向を示す座標系を設定している。図３（Ｂ１）は、突起部７の正面図、図３（Ｂ２）は、突起部７の側面図、図３（Ｂ３）は、突起部７の上面図である。
【００４０】
本実施形態の突起部７は、強化プラスチックなどで一体成形された筐体７１を有する。突起部７は、端子保護機能のため、突起部７の縦方向（ｃの向き）に強度を有することが好ましく、リブ７１ａ、７１ｂを設けるなどの構成により、必要な強度を確保している。突起部７の高さＨは、図２（Ｂ）で説明した
ピンジャック端子６６、通常ジャック端子６７など、筐体６の背面方向（Ｙ軸負の方向）に高さを有するケーブル接続端子よりも高くすることが好ましい。その際、突起部７の高さＨは、背面パネル６１に配置された複数のケーブル接続端子の最大高さｈ（図２（Ｂ）の場合、通常ジャック端子６７の高さが最大高さｈとなる。）よりも高くすることが必要となる。ラックなどに設置されたカラオケ装置２は、背面が見えないため、不用意に壁側に移動させた場合、ケーブル接続端子が壁にぶつかることで、カラオケ装置２が破損、故障することが考えられる。本実施形態のように、突起部７の高さＨを、ケーブル接続端子の最大高さｈよりも高くしておくことで、カラオケ装置２を壁側に移動させた場合、壁に突起部７が突き当たることで、ケーブル接続端子を保護することが可能となる。
【００４１】
突起部７の筐体７１内部には、照明機能のためのＬＥＤ７３を配置する空間が設けられている。空間前面には、アクリル板などの透明板７２が設けられており、ＬＥＤ７３から照射された光を外部に導出する。なお、ＬＥＤ７３が配置される空間には、照明効率を向上させるため反射面を設けてもよい。ＬＥＤ７３は、筐体７１内部において上方（ｃ方向の高い位置）に設けることが好ましい。ケーブル接続端子を照明する光源となるＬＥＤ７３が高い位置に位置することで広い領域を照明することが可能となる。また、高い位置から照明することで、ピンジャック端子６６、通常ジャック端子６７など、突起しているケーブル接続端子が形成する影を短くし、結線領域Ｋの視認性を向上することも可能となる。
【００４２】
突起部７には、突起部７を背面パネルに固定するためのネジ穴７４が設けられている。図２（Ａ）に示すように、突起部７ａ、７ｂは、ネジ穴７４に固定ネジ６５を通して固定される。本実施形態では、突起部７ａ、７ｂは、背面パネル６１中、結線領域Ｋ以外の領域に、結線領域Ｋを照明するように配置されている。ここで、結線領域Ｋは、ケーブル接続端子が配置される領域であり、筐体背面を鉛直方向（Ｚ方向）に区切った領域として規定している。図３で説明したように突起部７は高さＨを有する部材である。また、カラオケ装置２において、結線作業を行う場合、ユーザは筐体６の前面側に位置し、筐体６の背面を覗き込むように作業することが多い。したがって、突起部７ａ、７ｂを結線領域Ｋ内に配置した場合、突起部７ａ、７ｂが障害となって、結線領域Ｋ中に配置されたケーブル接続端子、あるいは、ケーブル接続端子周辺に記載されている説明書きを視認できない、あるいは、視認し難いことが考えられる。本実施形態では、突起部７ａ、７ｂを結線領域Ｋ以外の領域に配置することで、突起部７ａ、７ｂにより結線領域Ｋの視認性が妨げられることを抑制している。
【００４３】
また、突起部７ａ、７ｂは、内蔵するＬＥＤ７３を使用して結線領域を照明する照明機能を有している。照明機能のための突起部７ａ、７ｂの配置について、図４を用いて説明する。図４（Ａ）は、照明の様子を説明するため、図２（Ａ）の背面パネル６１中、結線領域Ｋ内に位置する音声入力端子、音声出力端子部分と突起部７ａ、７ｂを抜き出して記載した図である。音声入力端子、音声出力端子は、どちらも突起したピンジャック端子６６で構成されている。また、図４（Ｂ）は、図２（Ａ）の結線領域Ｋ内に位置する音声入力端子、音声出力端子を上方から照明したときの参考例である。図４（Ａ）、図４（Ｂ）ともに、高さを有するケーブル接続端子が形成する影の形成について、音声入力端子中の左上に位置するピンジャック端子６６を例にとって説明する。前述したように、図４（Ａ）に示す本実施形態の配置では、高さＨを有する突起部７ａ、７ｂは、結線領域Ｋ以外の領域に配置されることで、上方から結線領域Ｋを視認する際の障害とならないようになっている。一方、図４（Ｂ）の配置では、突起部７がピンジャック端子６６の直上に位置するため、筐体６の背面を上方から視認したときに、突起部７の高さＨがピンジャック端子６６、もしくは、ピンジャック端子６６の説明書きを視認する上で障害となる。
【００４４】
また、図３で説明したように突起部７の照明方向は、ｂ軸正方向である。図４（Ａ）、図４（Ｂ）には、突起部７ａ、７ｂの配置について座標系が併せて示している。図４（Ａ）に示すように、本実施形態の配置によれば、両方の突起部７ａ、７ｂは、ともに照明方向（ｂ軸正方向）が、結線領域Ｋを向くように配置されている。特に、突起部７ａ、７ｂを結線領域Ｋの両側に配置することで、結線領域Ｋ内に配置されたケーブル接続端子を両側から照明し、ピンジャック端子６６のような高さを有するケーブル接続端子が形成する２つの影Ｓａ、Ｓｂを分散させている。このように２つの影Ｓａ、Ｓｂに分散させることで、各影Ｓａ、Ｓｂは薄くなり、影Ｓａ、Ｓｂ内に、他のケーブル接続端子が位置する場合にも、容易に視認することが可能となる。一方、図４（Ｂ）に示すように１の突起部７で照明する場合、ピンジャック端子６６が形成する影Ｓは濃くなり、影Ｓ内に位置する他のケーブル接続端子、あるいは、説明書きの視認性は悪くなる。
【００４５】
また、図４（Ａ）に示すように、突起部７ａ、７ｂは、背面パネル６１中、上方に位置しており、傾斜した角度（本実施形態では、４５度見下げる角度）で、結線領域Ｋを照明している。このように結線領域Ｋを照明することで、上方から視認する作業者の面に、直接ＬＥＤ７３の照明光が入射することを抑制し、また、上方から作業を行う作業者に好適に、結線領域Ｋ内に配置されたケーブル接続端子、説明書きを照明することが可能となる。
【００４６】
以上、本実施形態の突起部７ａ、７ｂは、端子保護機能と、結線領域Ｋの照明機能を備えた部材であり、特に、結線領域Ｋに考慮した配置とすることで、筐体６の背面における結線作業の効率化を図るとともに、ケーブル接続端子、さらには、カラオケ装置２（電子装置）を保護することが可能となる。
【符号の説明】
【００４７】
１ａ、１ｂ…リモコン装置                 ３３…タッチパネルモニタ
２…カラオケ装置                         ３４…タッチパネル
５…ホスト装置                           ３５…表示部
１１…タッチパネルモニタ                 ３６…ＬＥＤドライバ
１１ａ…表示部                           ４１…モニタ
１１ｂ…タッチパネル                     ４２Ｒ、４２Ｌ…スピーカ
１２…ビデオＲＡＭ                       ４４ａ、４４ｂ…マイクロホン
１３…映像制御部                         ４５ａ、４５ｂ…外部楽器
１４…メモリ                             ４６…カメラ
１５…ＣＰＵ                             ４７…アンプ
１６…無線ＬＡＮ通信部                   ６１…背面パネル
１７…操作部                             ６３ａ、６３ｂ…電源供給端子
１８…操作処理部                         ６４…電源端子
２１…操作部                             ６５…固定ネジ
２２…操作処理部                         ６６…ピンジャック端子
２４…ＬＡＮ通信部                       ６７…通常ジャック端子
２５…音響制御部                         ７１…筐体
２７…メモリ                             ７１ａ、７１ｂ…リブ
２８…ビデオＲＡＭ                       ７２ａ、７２ｂ…透明板
２９…映像再生部                         ７３…ＬＥＤ
３０…ＣＰＵ                             ７４…ネジ穴
３１…映像制御部                         １１０…アクセスポイント
３２…ハードディスク
【図１】
2016143672.tif 000003
【図２】
2016143672.tif 000004
【図３】
2016143672.tif 000005
【図４】
2016143672.tif 000006